(57)【特許請求の範囲】
【請求項１】
被取付体のうち上下に延びる被取付部に取付けられるとともに、カードを保持可能なカードホルダにおいて、
被取付部への取付状態において被取付部と当接又は近接するとともに、カードの裏面側に配置され、カードの裏面を支持する背板部と、
カードの表面側に配置され、カードの表面を支持する前板部と、
前記背板部と、前記前板部との間に設置されたカードの下辺部を支持する支持部とを備え、
前記前板部は、
被取付部に対して遠近する方向において変位可能に構成されるとともに、カードホルダの被取付部への取付状態において、前記背板部、又は、被取付部に対して当接又は近接する一対の可動部と、
一対で設けられた前記各可動部からそれぞれ前記背板部に対して離間する方向に突出する突出部と、
一対の前記突出部の先端部間を連結する架橋部とを備え、
前記架橋部は少なくとも前記背板部と対向配置される範囲に設けられるとともに、カードホルダの被取付部への取付状態において、前記架橋部全体が、前記背板部から離間していることを特徴とするカードホルダ。
【請求項２】
前記架橋部から前記背板部側に突出するとともに、前記突出部と連結される連結壁を備えていることを特徴とする請求項１に記載のカードホルダ。
【請求項３】
前記連結壁は、前記架橋部の延在方向に沿って形成されているとともに、前記架橋部の上辺部よりも下方に配置され、
前記連結壁の上面と、前記架橋部との間を斜めに連結するガイドリブが設けられていることを特徴とする請求項２に記載のカードホルダ。
【請求項４】
前記連結壁は、前記架橋部の延在方向全域にわたって形成されているとともに、前記連結壁のうち、前記架橋部の延在方向中央部を含む部位には、その両側方に位置する部位よりも前記架橋部からの突出幅の大きい幅広部が形成されていることを特徴とする請求項２又は３に記載のカードホルダ。
【請求項５】
前記支持部は、前記背板部と同等の厚みを有する、上面若しくは下面に補強リブが形成される、又は、リブを介在させつつ複数の層を有するように構成され、
前記背板部、及び、前記前板部は、前記支持部から上方に延出し、
前記背板部と、前記前板部と、前記支持部とが一体形成されていることを特徴とする請求項１乃至４のいずれかに記載のカードホルダ。
【発明の詳細な説明】
【技術分野】
【０００１】
本発明は、被取付体にカードを装着させるためのカードホルダに関するものである。
【背景技術】
【０００２】
従来、容器やパレット等の運搬補助具に対し、運搬される物品に関する情報が記載されたカードを装着させる場合には、カードホルダが使用される。カードホルダとしては、例えば、本体部分と、折返し部分とが薄肉ヒンジによって連結されたものがある。当該カードホルダは、薄肉ヒンジを中心として折返し部分を１８０度回転させた状態で容器等に取付ける。そして、本体部分と、折返し部分との間にカードを挿入し、保持させる（例えば、特許文献１等参照。）。
【先行技術文献】
【特許文献】
【０００３】
【特許文献１】実公昭５３−２１９５号公報
【発明の概要】
【発明が解決しようとする課題】
【０００４】
また、上記特許文献１のカードホルダでは、折返し部分の先端部分が、カードのカードホルダへの挿入口を開く方向に所定角度折り曲げ加工されている。当該構成により、カードをカードホルダに挿入させ易くなり、作業性の向上が図られる。ところで、カードをカードホルダから取出す際には、折返し部分を手前に引いて、本体部分と折返し部分との間を広げることとなる。しかしながら、折返し部分のうち、「持ち手」となりそうな部分が前記先端部分しかなく、当該先端部分を摘まみ引っ張ろうとしても当該先端部分は保持し難く、力を掛け難い上、当該先端部分が変形等を起こしてしまうことが懸念される。
【０００５】
本発明は、上記例示した問題点等を解決するためになされたものであって、その目的は、カードの着脱作業性の向上を図ることのできるカードホルダを提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．被取付体のうち上下に延びる被取付部に取付けられるとともに、カードを保持可能なカードホルダにおいて、
被取付部への取付状態において被取付部と当接又は近接するとともに、カードの裏面側に配置され、カードの裏面を支持する背板部と、
カードの表面側に配置され、カードの表面を支持する前板部と、
前記背板部と、前記前板部との間に設置されたカードの下辺部を支持する支持部とを備え、
前記前板部は、
被取付部に対して遠近する方向において変位可能に構成されるとともに、カードホルダの被取付部への取付状態において、前記背板部、又は、被取付部に対して当接又は近接する一対の可動部と、
一対で設けられた前記各可動部からそれぞれ前記背板部に対して離間する方向に突出する突出部と、
一対の前記突出部の先端部間を連結する架橋部とを備え、
前記架橋部は少なくとも前記背板部と対向配置される範囲に設けられるとともに、カードホルダの被取付部への取付状態において、前記架橋部全体が、前記背板部から離間していることを特徴とするカードホルダ。
【０００８】
手段１によれば、カードホルダのうち、一対の可動部からそれぞれ外方（背板部から離間する方向）へ突出する一対の突出部の先端部間を連結する架橋部は、カードホルダの被取付部への取付状態において、背板部から離間している。これにより、架橋部と、背板部との間に指先等を挿入可能な空間を形成することができる。このため、前板部と背板部との間に挿入・保持されているカードをカードホルダから取出す場合には、前板部の手前側に飛び出している架橋部の裏面側に指等を掛けて手前に引くことで、比較的容易に、前板部と背板部との間を広げ、比較的スムースにカードを取出すことができる。従って、例えば、前板部の前面側に設けられた突起を摘まみ、手前側に引っ張る等のような構成に比べ、カードホルダの取出し作業性の向上、カードホルダ（特に、カードホルダを広げる際に力を掛ける部位）の耐久性の向上等を図ることができる。
【０００９】
また、架橋部の存在により、前板部を簡単かつ好適に変位させることができ、カードホルダをカードの抜き差しを容易とする開状態とすることができる。このため、カードをカードホルダに装着する際にも、架橋部を引いてカードホルダを開状態とし、カードへの負荷なく（無理やりにねじ込むことなく）、カードをカードホルダにセットすることができる。従って、カードやカードホルダが損傷する等の事態を抑制することができる。
【００１０】
手段２．前記架橋部から前記背板部側に突出するとともに、前記突出部と連結される連結壁を備えていることを特徴とする手段１に記載のカードホルダ。
【００１１】
手段２によれば、架橋部の剛性を高めることができ、架橋部の変形や損傷等を抑制することができる。つまり、例えば、架橋部を手前に引いた場合に、架橋部のみが変形してしまい、可動部がほとんど追従せず、手前側に変位しないといった事態を回避することができる。従って、架橋部に指等を掛けて引くことで、前板部と背板部との間に、カードを抜き差しし易くなるような空間をより確実に形成することができ、カードを抜き差しする際の作業性の向上や、架橋部の耐久性の向上等を図ることができる。特に、架橋部が長尺である場合には、かかる作用効果がより顕著に奏されることとなる。
【００１２】
手段３．前記連結壁は、前記架橋部の延在方向に沿って形成されているとともに、前記架橋部の上辺部よりも下方に配置され、
前記連結壁の上面と、前記架橋部との間を斜めに連結するガイドリブが設けられていることを特徴とする手段２に記載のカードホルダ。
【００１３】
手段３によれば、架橋部の裏面側に設けられる連結壁を架橋部の上辺部よりも下方位置に設けることによって、架橋部の裏面に指等を掛けてカードホルダを広げる際に、連結壁が、指先の架橋部裏面への引っ掛かりを阻害してしまうといった事態を抑制することができる。また、ガイドリブが設けられることで、前板部と背板部との間にカードを挿入する際に、カードが連結壁に引っ掛かってしまうといった事態を防止することができる。
【００１４】
手段４．前記連結壁は、前記架橋部の延在方向全域にわたって形成されているとともに、前記連結壁のうち、前記架橋部の延在方向中央部を含む部位には、その両側方に位置する部位よりも前記架橋部からの突出幅の大きい幅広部が形成されていることを特徴とする手段２又は３に記載のカードホルダ。
【００１５】
手段４によれば、架橋部のうち特に変形し易い部位であって、さらには、作業者が最も持ち易い部位でもある延在方向中央部の剛性を効果的に高めることができる。従って、カードを抜き差しする際の作業性の向上や、架橋部の耐久性の向上等を図るといった作用効果がより一層奏されることとなる。
【００１６】
手段５．前記支持部は、前記背板部と同等の厚みを有する、上面若しくは下面に補強リブが形成される、又は、リブを介在させつつ複数の層を有するように構成され、
前記背板部、及び、前記前板部は、前記支持部から上方に延出し、
前記背板部と、前記前板部と、前記支持部とが一体形成されていることを特徴とする手段１乃至４のいずれかに記載のカードホルダ。
【００１７】
手段５によれば、支持部の強度を高めることができる。従って、例えば、背板部と、前板部とをほぼ同一平面上に配置し、両者間を薄肉の支持部で連結するような格好でカードホルダを成形し、使用時に、支持部においてカードホルダを２つに折り曲げるといった構成のように、支持部が軟弱で損傷する（破断する）といった不具合を払拭することができる。
【００１８】
また、上記手段１に記載のように、背板部と、架橋部とが離間していることから、背板部と、前板部とを離間させることができ、背板部、及び、前板部が、支持部から上方に延出するといったカードホルダを確実に一体形成することができる。従って、カードホルダの製造作業性の向上を図ることができる。
【図面の簡単な説明】
【００２２】
【図１】容器、及び、カードホルダの斜視図である。
【図２】カードホルダの正面側斜視図である。
【図３】カードホルダの裏面側斜視図である。
【図４】カードホルダの背板部を省略した一部断面を含む裏面側斜視図である。
【図５】容器への取付状態にあるカードホルダの正面図ある。
【図６】図５のＡ−Ａ線断面図である。
【図７】図６に示すカードホルダの取付前の状態を示す断面図である。
【図８】図５のＢ−Ｂ線断面図である。
【図９】図８に示すカードホルダの取付前の状態を示す断面図である。
【図１０】図５のＣ−Ｃ線断面図である。
【図１１】図１０に示すカードホルダの取付前の状態を示す断面図である。
【図１２】図５のＤ−Ｄ線断面図である。
【発明を実施するための形態】
【００２３】
以下に、一実施形態について図面を参照して説明する。まず、図１に基づいて、カードホルダ１１が取付けられる被取付体としての容器１について説明する。容器１は、略矩形板状の底壁部２と、底壁部２の各側辺部から上方に延出する側壁部３と、側壁部３の上辺部から外方に延出する上フランジ４と、側壁部３の各コーナー部から外方に突出し、上下に延在するとともに、上フランジ４に連結されるコーナーフランジ５と、各コーナーフランジ５の左方、及び、右方に所定距離を隔てて設けられ、上下に延在する縦フランジ６とを備えている。
【００２４】
さらに、コーナーフランジ５の下端部と、その両側方に位置する縦フランジ６の下端部とを連結する支持フランジ７と、同一の側壁部３において形成された縦フランジ６の上部間を連結するようにして上フランジ４の外縁から下方に延出する連結フランジ８とが設けられている。尚、連結フランジ８の裏面と、上フランジ４の下面と、側壁部３の外面との間を連結する裏補強フランジ９が、連結フランジ８の長手方向に沿って所定間隔毎に設けられている（図６等参照）。
【００２５】
図１、図５に示すように、支持フランジ７は、底壁部２よりも上方に位置している。また、側壁部３は、型抜きの都合上、上方に向けて容器１の外周側に若干傾斜して延びている。さらに、容器１は、いずれの部位においても肉厚がほぼ一定である。当該構成により、容器１同士を上下に積み重ねることで、上側の容器１のうち支持フランジ７よりも下方部位が、下側の容器１の側壁部の内周側に収容されるとともに、上側の容器１の支持フランジ７の下面が、下側の容器１の上フランジ４の上面に当接して支持されるようになっている。これにより、下側の容器１に対する上側の容器の水平方向における位置ずれを防止しつつ、容器１を上下に積み重ねる（スタッキングする）ことができる。
【００２６】
また、図１に示すように、相対する一対の側壁部３に形成されたそれぞれ一対の縦フランジ６には、支持フランジ７の上面、及び、側壁部３の外面に隣接するようにして、カードホルダ１１を容器１に取付けるための取付孔６ａが形成されている。尚、本実施形態では、取付孔６ａが形成された縦フランジ６を有する側壁部３が被取付部に相当する。
【００２７】
さて、図２〜図５等に示すように、カードホルダ１１は、カード７１ａ、７１ｂ（図５参照）の下辺部を支持する支持部１２と、支持部１２から上方に延出し、カード７１ａ、７１ｂの裏面側に配置されるとともに、カード７１ａ、７１ｂの裏面を支持する背板部１３と、支持部１２から上方に延出し、カード７１ａ、７１ｂの表面側に配置されるとともに、カード７１ａ、７１ｂの表面を支持する前板部１４とを備えている。
【００２８】
図４等に示すように、支持部１２は、前後（被取付部となる側壁部３の厚み方向）に延びる上壁部２１と、上壁部２１の前縁部から下方に延びる前壁部２２と、前壁部２２の下縁部から後方に延びる下壁部２３と、上壁部２１と下壁部２３との間を連結する増強リブ２４とが設けられている。尚、図２に示すように、支持部１２の左右方向中央部の前面には凹部２５が形成されている。
【００２９】
支持部１２の左右両端部には、カードホルダ１１を側壁部３に取付けるための取付部３１が設けられている。取付部３１は、支持部１２の上壁部２１から上方に突出する衝立部３２と、衝立部３２の外面から突出する挿通部３３と、挿通部３３の前面から突出する爪部３４とを備えている。各挿通部３３、及び、各爪部３４は、それぞれ容器１の取付孔６ａに挿通状態とされる。これにより、挿通部３３の下辺部が、支持フランジ７の上面に支持され、挿通部３３の後部、及び、支持部１２の後縁部が側壁部３と当接するとともに、爪部３４が縦フランジ６の外面に係止されるようになっている。以上のようにして、カードホルダ１１が容器１に取付けられることとなる。
【００３０】
加えて、衝立部３２の前辺部から支持部１２の横幅方向中央部側に突出するサイドストッパ３５が設けられている。尚、挿通部３３は、後方に開口する断面コ字状（図３等参照）をなしており、爪部３４を取付孔６ａに挿通させる際に若干弾性変形するように構成されている。また、図１０、図１２等に示すように、側壁部３に取付けられたカードホルダ１１の全体が、縦フランジ６の先端縁よりも側壁部３側に収まるように構成されている。
【００３１】
図２、図３、図８等に示すように、背板部１３は、支持部１２（上壁部２１）の後縁部よりも若干前方位置から上方に向けて、後方に傾斜して延びる左右一対の基板部４１と、各基板部４１の下部の両側側辺部からそれぞれ側方かつ下方に向けて延出する根部４２とを備え、全体として左右対称形状となるように構成されている。加えて、背板部１３の後面の付根部と、支持部１２の上面との間を連結する補強部４３（図３参照）が設けられている。尚、当該補強部４３に代えて、背板部１３の付根部を厚肉に構成することとしてもよい。
【００３２】
また、図５、図８に示すように、カードホルダ１１の側壁部３への取付状態においては、背板部１３の基板部４１が、容器１の連結フランジ８の下辺部よりも上方にまで延び、基板部４１の後面の上端部が、側壁部３と当接するように構成されている。
【００３３】
図２〜図４に示すように、前板部１４は、背板部１３の左右両側方（各基板部４１と、各取付部３１との間）に配置され、側壁部３に対して遠近する方向（前後方向）において弾性変形可能に構成される左右一対の可動部５１と、一対で設けられた各可動部５１からそれぞれ背板部１３に対して離間する方向（前方）に突出する突出部５２と、一対の突出部５２の先端縁部間を連結する架橋部５３とを備えている。
【００３４】
図２、図６に示すように、可動部５１は、支持部１２のうち背板部１３の付根部よりも前方の位置から上方に向けて、後方に傾斜して延びる挟着部５４と、挟着部５４の上辺部から上方かつ前方に向けて延びる返し部５５とを備えている。返し部５５の上端部は、背板部１３の上端部よりも低くなっている。図６、図１２に示すように、カードホルダ１１の側壁部３への取付状態においては、挟着部５４と返し部５５との境界部が、側壁部３と当接している。また、可動部５１は、挟着部５４の上部、及び、返し部５５が、カードホルダ１１の横幅方向中央部側に向けて延出し、正面視略鉤状（逆Ｌ字状）をなしている（図２、図４参照）。
【００３５】
加えて、図２、図６に示すように、突出部５２の外面下部と、可動部５１の挟着部５４との間を斜めに連結する外補強リブ５６が設けられている。尚、図２、図４に示すように、支持部１２のうち可動部５１が設けられている部位については、前方に張り出すようにして前後に幅広に構成されている。
【００３６】
図２、図４、図６等に示すように、突出部５２は、可動部５１のうち側方に突出した挟着部５４の上部、及び、返し部５５の側辺部からほぼ水平に前方に延出しており、突出部５２の前辺部は、上方に向けて若干後方傾斜する直線状となっている。さらに、図２に示すように、架橋部５３は、一対の突出部５２の前辺部間を真っ直ぐに繋ぐ平板状をなしている。本実施形態では、架橋部５３が突出部５２によって前方に変位させられていることにより、図８等に示すように、カードホルダ１１の側壁部３への取付状態において、架橋部５３が背板部１３から離間している。これにより、架橋部５３と、背板部１３との間には、作業者が指先等を挿入可能な空間が形成されるようになっている。
【００３７】
また、図３、図４等に示すように、本実施形態では、架橋部５３から背板部１３側に突出するとともに、突出部５２と連結される連結壁６１を備えている。連結壁６１は、架橋部５３の下辺部に沿って、架橋部５３の延在方向全域わたって（一対の突出部５２間にかけて）一続きに形成されている。
【００３８】
さらに、図３、図８に示すように、連結壁６１のうち、背板部１３と対向する部位は、架橋部５３からの突出幅の小さい幅狭部６２となっている。本実施形態では、当該幅狭部６２を形成することにより、連結壁６１と、背板部１３とを離間させている（図８等参照）。尚、図２、図５等に示すように、背板部１３の根部４２は、架橋部５３の下辺部（連結壁６１の下面）よりも下方の領域に形成されている。
【００３９】
加えて、図３、図１０に示すように、連結壁６１のうち、架橋部５３の延在方向中央部を含む部位には、その両側方に位置する部位（幅狭部６２）よりも架橋部５３からの突出幅の大きい幅広部６３が形成されている。尚、幅広部６３は、左右一対の幅狭部６２の間に位置しており、背板部１３の形成されていない範囲に設けられている。
【００４０】
さらに、図３等に示すように、幅広部６３のうち幅狭部６２との境界部近傍部位において、連結壁６１の上面と、架橋部５３との間を斜めに連結するガイドリブ６４が設けられている。本実施形態のガイドリブ６４は、架橋部５３の上辺部から、連結壁６１（幅広部６３）の後縁部にかけて設けられている。
【００４１】
以上のように構成されてなるカードホルダ１１は、いずれの部位もほぼ同じ厚みとなるようにして一体形成されている。但し、図７、図９、図１１に示すように、カードホルダ１１は、側壁部３への取付状態の安定化を図るべく、背板部１３、及び、前板部１４を、支持部１２から上方に向けて後方に比較的大きく傾斜するように形成される。そして、背板部１３、及び、前板部１４を弾性変形させつつ、側壁部３に取付けられるようになっている。
【００４２】
また、カードホルダ１１は、大きさの異なるカードを保持可能に構成されており、保持の形態についても２パターン存在するようになっている。すなわち、図５に示すように、横幅が一対の可動部５１間の距離よりも大きなカード７１ａが装着される場合には、一対の可動部５１（挟着部５４と返し部５５との境界部）と、側壁部３との間でカード７１ａが挟持固定される（図６参照）。このとき、一対の可動部５１よりも側壁部３の横幅方向中央部側において、カード７１ａの裏面に対し一対の背板部１３が当接する（図８参照）。これにより、カード７１ａの中央部を含む部位が若干前方に変位しているような格好で保持されるようになっている。加えて、カード７１ａの左右の下コーナー部前面側がサイドストッパ３５に支持されて、カード７１ａが縦フランジ６から前方にはみ出さないようになっている。
【００４３】
一方、横幅が一対の突出部５２間の距離よりも小さいカード７１ｂが装着される場合には、架橋部５３に設けられた連結壁６１と、背板部１３、及び、側壁部３との間でカード７１ｂが保持される（図８参照）。より具体的には、カード７１ｂが比較的厚肉である（連結壁６１の幅狭部６２と、背板部１３との間の隙間や、連結壁６１の幅広部６３と、側壁部３との間の隙間よりも厚い）場合には、挟持固定されることとなる。その一方で、カード７１ｂが比較的薄肉である場合には、支持部１２、背板部１３、架橋部５３（架橋部５３と連結される連結壁６１）、及び、左右一対の突出部５２（突出部５２と連結される連結壁６１）によって、落下しないように支持されることとなる。
【００４４】
以上詳述したように、本実施形態によれば、容器１に対してカード７１ａ、７１ｂを装着するためのカードホルダ１１が取付けられている。カードホルダ１１のうち、一対の可動部５１からそれぞれ外方（背板部１３から離間する前方向）へ突出する一対の突出部５２の先端部間を連結する架橋部５３は、カードホルダ１１の側壁部３への取付状態において、背板部１３から離間している。これにより、架橋部５３と、背板部１３との間に指先等を挿入可能な空間を形成することができる。このため、前板部１４と背板部１３との間に挿入・保持されているカード７１ａ、又は、カード７１ｂをカードホルダ１１から取出す場合には、前板部１４の手前側に飛び出している架橋部５３の裏面側に指等を掛けて手前に引くことで、比較的容易に、前板部１４と背板部１３との間を広げ、比較的スムースにカード７１ａ、７１ｂを取出すことができる。従って、例えば、前板部１４の前面側に設けられた突起を摘まみ、手前側に引っ張る等のような構成に比べ、カードホルダ１１の取出し作業性の向上、カードホルダ１１（特に、カードホルダ１１を広げる際に力を掛ける部位）の耐久性の向上等を図ることができる。
【００４５】
また、架橋部５３の存在により、前板部１４を簡単かつ好適に変位させることができ、カードホルダ１１をカード７１ａ、７１ｂの抜き差しを容易とする開状態とすることができる。このため、カード７１ａ、７１ｂをカードホルダ１１に装着する際にも、架橋部５３を引いてカードホルダ１１を開状態とし、カード７１ａ、７１ｂへの負荷なく（無理やりにねじ込むことなく）、カード７１ａ、７１ｂをカードホルダ１１にセットすることができる。従って、カード７１ａ、７１ｂやカードホルダ１１が損傷する等の事態を抑制することができる。
【００４６】
また、本実施形態では、架橋部５３から背板部１３側に突出するとともに、突出部５２と連結される連結壁６１を備えている。このため、架橋部５３の剛性を高めることができ、架橋部５３の変形や損傷等を抑制することができる。つまり、例えば、架橋部５３を手前に引いた場合に、架橋部５３のみが変形してしまい、可動部５１がほとんど追従せず、手前側に変位しないといった事態を回避することができる。従って、架橋部５３に指等を掛けて引くことで、前板部１４と背板部１３との間に、カード７１ａ、７１ｂを抜き差しし易くなるような空間をより確実に形成することができ、カード７１ａ、７１ｂを抜き差しする際の作業性の向上や、架橋部５３の耐久性の向上等を図ることができる。特に、架橋部５３が長尺である場合には、かかる作用効果がより顕著に奏されることとなる。
【００４７】
さらに、連結壁６１は架橋部５３の下辺部に沿って形成されているとともに、連結壁６１の上面と、架橋部５３との間を斜めに連結するガイドリブ６４が設けられている。このように、架橋部５３の裏面側に設けられる連結壁６１を架橋部５３の上辺部よりも下方位置に設けることによって、架橋部５３の裏面に指等を掛けてカードホルダ１１を広げる際に、連結壁６１が、指先の架橋部５３裏面への引っ掛かりを阻害してしまうといった事態を抑制することができる。また、ガイドリブ６４が設けられることで、前板部１４と背板部１３との間にカード７１ａ、７１ｂを挿入する際に、カード７１ａ、７１ｂが連結壁６１に引っ掛かってしまうといった事態を防止することができる。
【００４８】
加えて、連結壁６１は、架橋部５３の延在方向全域にわたって形成されているとともに、連結壁６１のうち、架橋部５３の延在方向中央部を含む部位には、その両側方に位置する部位よりも架橋部５３からの突出幅の大きい幅広部６３が形成されている。このため、架橋部５３のうち特に変形し易い部位であって、さらには、作業者が最も持ち易い部位でもある延在方向中央部の剛性を効果的に高めることができる。従って、カード７１ａ、７１ｂを抜き差しする際の作業性の向上や、架橋部５３の耐久性の向上等を図るといった作用効果がより一層奏されることとなる
また、支持部１２は、前後に延び、背板部１３と同等の厚みを有する上壁部２１と、上壁部２１の前縁部から下方に延びる前壁部２２と、前壁部２２の下縁部から後方に延びる下壁部２３と、上壁部２１と下壁部２３との間を連結する増強リブ２４とを備えている。このため、支持部１２の強度を高めることができる。さらに、背板部１３、及び、前板部１４（可動部５１）が、支持部１２（上壁部２１）から上方に延出した格好で、背板部１３と、前板部１４と、支持部１２とを含むカードホルダ１１全体が一体形成されている。このため、例えば、背板部と、前板部とをほぼ同一平面上に配置し、両者間を薄肉の支持部で連結するような格好でカードホルダを成形し、使用時に、支持部においてカードホルダを２つに折り曲げるといった構成のように、支持部が軟弱で損傷する（破断する）といった不具合を払拭することができる。
【００４９】
また、上記のように、背板部１３と、架橋部５３とが離間していることから、背板部１３と、前板部１４（連結壁６１）とを離間させることができ、背板部１３、及び、前板部１４が、支持部１２から上方に延出するといったカードホルダ１１を確実に一体形成することができる。従って、カードホルダ１１の製造作業性の向上を図ることができる。
【００５０】
加えて、背板部１３（一対の基板部４１）は、一対の可動部５１の間に配置され、可動部５１（挟着部５４と、返し部５５との境界部）は、カードホルダ１１の側壁部３への取付状態において、側壁部３に対して当接又は近接し、側壁部３との間でカード７１ａを挟持可能に構成されている。
【００５１】
つまり、可動部５１のうち側壁部３との間でカードを挟持固定可能な部位については、背板部１３のうち同じ高さ位置の部位よりも側壁部３に近い位置に配置される。このため、例えば、左右一対の可動部５１に跨るようにして比較的大きなカード７１ａをカードホルダ１１に装着する場合に、側壁部３の厚み方向において、可動部５１と側壁部３との挟持によるホールド位置と、背板部１３によってカード７１ａ裏面を支持する位置とをずらすことにより、カード７１ａの保持力を高めることができる。特に、背板部１３は、支持部１２のうち側壁部３側である後縁部よりも前方位置から上方に延出している。この場合、上記作用効果がより一層奏されることとなる。さらに、カード７１ａのメインの領域である中央部については、背板部１３によって比較的前方に配置されることから、カード７１ａに記載された情報等を読取り易くすることができる。
【００５２】
尚、上記実施形態の記載内容に限定されず、例えば次のように実施してもよい。勿論、以下において例示しない他の応用例、変更例も当然可能である。
【００５３】
（ａ）カードホルダ１１の取付対象である被取付体は特に限定されるものではなく、折畳み式の容器の側壁部、容器に被せられる蓋の側面、パレットの側面等に取付けることとしてもよい。さらには、被取付体として、容器やパレット等の運搬補助具に限定されるものでもなく、例えば、棚、机、看板、鞄等のうち上下に延びる被取付部に対し、カードラックのようにして取付けることも可能である。さらに、被取付体は、樹脂製でなくてもよく、金属製、木製、革製、合皮製であってもよい。加えて、カードホルダ１１が取付けられる被取付部は平板状でなくてもよく、例えば、湾曲状、波状に構成されるとともに、カードホルダ１１は被取付部の形状に合わせた形状に形成されていることとしてもよい。
【００５４】
尚、架橋部５３の裏面側に形成された連結壁６１と、背板部１３との間に比較的大きな隙間が形成される場合には、例えば、ポストカードや小さなチラシ等を複数枚重ねて設置する等して使用することもできる、さらに、例えば、一対の可動部５１と被取付部との間に比較的大きなチラシやポスターを飾るようにして使用することも可能である。また、例えば、カードホルダ１１に取付けられるカードについても特に限定されるものではなく、平らではなく、凹凸形状をなしていてもよいし、ＩＣチップ等が埋設されていてもよい。
【００５５】
（ｂ）上記実施形態では、支持部１２の両側端部に取付部３１が設けられているが、取付部３１の形成位置や構成については特に限定されるものではない。例えば、縦フランジ６に対し、支持部１２の両側端部を固定する構成に代えて、背板部１３の上部や、支持部１２の下部で対応するフランジ等に固定されるような構成としてもよい。さらに、取付部３１を別部材として形成し、その後、カードホルダの本体に組付ける構成としてもよいし、取付部３１を磁石や吸盤で構成することとしてもよい。但し、取付部３１についても、支持部１２、背板部１３、及び、前板部１４と一体的に構成することで、取付状態の安定化（組付け部位ががたつかない）や、カードホルダ１１の生産性の向上等を図ることができる。
【００５６】
（ｃ）上記実施形態では、前板部１４が、左右一対の可動部５１と、各可動部５１の上部から前方に延びる一対の突出部５２と、一対の突出部５２間を連結する架橋部５３とを備え、正面視略門型をなしているが、例えば、正面視矩形状をなすように（可動部５１と架橋部５３と支持部１２とで囲まれる空間が閉塞されたような形状に）構成してもよいし、格子状（縦、及び／又は、横にリブを形成する）に構成してもよい。但し、前板部１４を正面視略門型にして、内側に開口部を形成することにより、カードホルダ１１に保持されたカード７１ａ、７１ｂの情報をより読取り易くすることができるとともに、カードホルダ１１の軽量化、省資源化等を図ることができる。
【００５７】
尚、背板部１３についても、形状や形成範囲について限定されるものではないが、幅狭部６２及び幅広部６３を有する連結壁６１が突出形成された架橋部５３との間でカード７１ａ、７１ｂを効果的に挟持し、かつ、軽量化等を図るべく、上記実施形態のように、一対の可動部５１の間において、互いに距離を隔てるようにして一対で設けられる基板部４１を備えるような構成が望ましい。
【００５８】
（ｄ）上記実施形態では、カードホルダ１１はポリプロピレンにより構成されているが、ポリエチレン、ＰＥＴ、ポリアミド等その他の樹脂材料により構成されることとしてもよい。また、上記実施形態では特に言及していないが、カードホルダ１１の色については特に限定されるものではなく、透明、半透明、不透明のいずれでもよい。
【符号の説明】
【００５９】
１…容器、２…底壁部、３…側壁部、４…上フランジ、６…縦フランジ、６ａ…取付孔、１１…カードホルダ、１２…支持部、１３…背板部、１４…前板部、２１…上壁部、３１…取付部、４１…基板部、５１…可動部、５２…突出部、５３…架橋部、５４…挟着部、５５…返し部、６１…連結壁、６２…幅狭部、６３…幅広部、６４…ガイドリブ、７１ａ，７１ｂ…カード。
【図１】
0006656953.tif 000002
【図２】
0006656953.tif 000003
【図３】
0006656953.tif 000004
【図４】
0006656953.tif 000005
【図５】
0006656953.tif 000006
【図６】
0006656953.tif 000007
【図７】
0006656953.tif 000008
【図８】
0006656953.tif 000009
【図９】
0006656953.tif 000010
【図１０】
0006656953.tif 000011
【図１１】
0006656953.tif 000012
【図１２】
0006656953.tif 000013